(57)【特許請求の範囲】
【請求項１】
障子を枠体に対して回動可能に支持する開口部装置の開閉機構であって、
前記枠体の外部に、開閉機構の操作部が配置され、
前記枠体の内部に、前記操作部の裏側となる位置に、前記操作部の操作と前記障子の開閉動作とを連動させるための連動部材が配置され、
前記連動部材は、
前記障子と前記操作部を連結するための連結部材と、
前記障子側に固定される被連結部材と、
前記連結部材と、前記被連結部材を連結する連結ピンと、
を含み、
前記被連結部材には、前記障子の開閉方向と直交する方向に長く、前記連結ピンを挿通するための長穴が設けられており、
前記連動部材は、
前記障子が閉じられた際に、
前記連結ピンが前記長穴の長手方向にずれて、
前記枠体の内部に設けた係合部の室内側の部位に係合し、
前記障子が閉じている際に、前記操作部の操作がされないかぎり、前記障子が開くことが規制されるロック機構を構成する、
ことを特徴とする、開口部装置の開閉機構。
【請求項２】
前記操作部は、前記枠体の見込面を構成する外表面に設けられ、
前記連動部材は、前記枠体の内表面にて囲まれる収容空間に設けられる、
ことを特徴とする請求項１に記載の開口部装置の開閉機構。
【請求項３】
前記連動部材には、
前記操作部の操作と連動するロック部材が設けられ、
前記ロック部材を前記障子の被係合部に係合させることで、
前記障子が閉じている際に、前記操作部の操作がされないかぎり、前記障子が開くことが規制されるロック機構を、さらに構成する、
ことを特徴とする、請求項１又は請求項２に記載の開口部装置の開閉機構。
【請求項４】
前記連動部材には、
前記障子が完全に閉じた状態において、
前記ロック部材を前記障子の被係合部に対して係合させるための遅延機構が設けられる、
ことを特徴とする、請求項３に記載の開口部装置の開閉機構。
【請求項５】
前記操作部は、
前記操作部の操作時において、前記枠体からの突出量が大きくなり、
前記操作部の非操作時において、前記枠体からの突出量が小さくなるように、
前記操作部の前記枠体に対する突出量が変更可能に構成される、
ことを特徴とする、請求項１乃至請求項４のいずれか１項に記載の開口部装置の開閉機構。
【請求項６】
前記操作部は、少なくとも二本の指で摘むとともに、摘んだ状態で各指先の位置を相対的にずらすことで、回転操作されるように構成される、
ことを特徴とする、請求項１乃至請求項５のいずれか１項に記載の開口部装置の開閉機構。
【請求項７】
請求項１乃至請求項６のいずれか１項に記載の開口部装置の開閉機構を備える、開口部装置。
【発明の詳細な説明】
【技術分野】
【０００１】
本発明は、住宅、公共施設、商業施設、ビル等の建物の開口部に好適に設けられる突き出し、片開き等の開口部装置の開閉機構に関する。
【背景技術】
【０００２】
従来、ガラスパネル等を具備する障子を枠体に対して回動可能に支持する開口部装置が知られている。これらの開口部装置は、突き出し窓や、片開き窓などと呼ばれている。
【０００３】
そして、前記開口部装置は、壁の開口部の周縁に取り付けられる枠体と、該枠体に対して蝶番などを介して回動可能に設置される障子を具備しており、枠体において蝶番とは異なる位置に設けられるレバー部材を室外方向へ押出したり、引き寄せたりすることで、前記障子の開閉動作が行えるようにしている（例えば、特許文献１参照。）。
【０００４】
例えば、特許文献１では、枠体に付設される基体に対し、回動／挿入／引出される長尺のレバー部材が設けられ、このレバー部材を押し込む（挿入）することで障子の下部が室外側へ突き出されて開状態となる一方、レバー部材を引き込む（引出し）ことで障子の下部が室内側へ引き込まれて閉状態となる開閉機構について開示がされている。
【０００５】
また、特許文献１に開示される開閉機構の構成では、枠開口部における枠体の内周面の内側に、開閉機構の構成部材が配置される構成となっている。即ち、その上部においてレバー部材を貫通させて摺動自在にガイドすべく十分な厚みを有する基体、レバー部材、及び、障子との連結部材が、それぞれ、枠体にて囲まれる空間内配置されている。
【０００６】
また、特許文献１に開示される開閉機構に関連し、図２１に示すごとく、円形の枠体３０１に円形の障子３０２（サークル窓）を設ける開口部装置３００の構成では、障子３０２を閉めた際に、レバー部材３０３を枠体の円弧面３０４に沿わせるように屈曲させるものが周知となっている。
【特許文献１】特開２００６−２４９７２６号公報
【発明の開示】
【発明が解決しようとする課題】
【０００７】
しかし、特許文献１に記載されるような開閉機構の構成では、開閉機構の構成部材の存在により枠開口部の開口面積が削減され、枠開口部の開放感が損なわれることになる。また、開閉機構の構成部材が邪魔となり、煩雑な印象を与えてしまうことになる。
【０００８】
特に、図２１に示す構成のように、障子３０２の面積が小さく、開閉機構３０５に関連する部材の存在が明らかに目立つような構成では、枠体３０１に立設される基体３０６や、この基体３０６に設けられるレバー部材３０３等の存在が窮屈に感じられ、開閉機構３０５に関連する部材の存在に起因する閉塞感が強調されてしまうことになる。
【０００９】
また、図２１に示す構成のように、枠体３０１に網戸３０７を設ける構成では、この網戸３０７において、障子３０２とレバー部材３０３の連結部材３０８を通すための開口３０９（切り欠き部等）を設ける必要があり、網戸３０７の形状が複雑となってしまい、施工性が悪いことや、加工費が嵩むといった問題がある。
【００１０】
さらに、図２１に示す構成のように、円形の枠体３０１に円形の障子３０２（サークル窓）を設ける開口部装置３００の構成では、まず、枠体３０１の内周面に基体３０６が立設され、さらに、この基体３０６からレバー部材３０３が突出することとなるため、円形の枠体３０１に対するレバー部材３０３の収まりが悪く、枠体３０１からレバー部材３０３が浮いてしまうような煩雑な印象を与えてしまうことになる。このような場合では、せっかくの円形の枠体３０１と円形の障子３０２の組み合わせによる特徴的な意匠性（デザイン性）が損なわれてしまう。
【００１１】
また、開閉操作における操作性に着目した場合、少ない操作量で操作が容易に行えることとすることが望ましい。特許文献１や図２１に示されるようなレバー部材３０３の回動及び挿入の組み合わせ、又は、引出し及び回動の組み合わせによる操作では、その操作が複雑であって、利用者によっては、回動方向について戸惑うことや、操作負担が大きくなるものと考えられる。また、図２１に示すごとく、その複雑な操作を説明するタグ３１０をレバー部材３０３に付設するなどの必要も生じ、このタグ３１０のコストはもちろんのこと、意匠性も損なわれてしまうという問題が生じる。
【００１２】
本発明は以上の問題に鑑み、障子の開閉機構について、開口部の開放感、意匠性が良好に確保され、かつ、操作性が良好な新規な構成を提案する。
【課題を解決するための手段】
【００１３】
本発明の解決しようとする課題は以上の如くであり、次にこの課題を解決するための手段を説明する。
【００１４】
即ち、請求項１に記載のごとく、
障子を枠体に対して回動可能に支持する開口部装置の開閉機構であって、
前記枠体の外部に、開閉機構の操作部が配置され、
前記枠体の内部に、前記操作部の裏側となる位置に、前記操作部の操作と前記障子の開閉動作とを連動させるための連動部材が配置され、
前記連動部材は、
前記障子と前記操作部を連結するための連結部材と、
前記障子側に固定される被連結部材と、
前記連結部材と、前記被連結部材を連結する連結ピンと、
を含み、
前記被連結部材には、前記障子の開閉方向と直交する方向に長く、前記連結ピンを挿通するための長穴が設けられており、
前記連動部材は、
前記障子が閉じられた際に、
前記連結ピンが前記長穴の長手方向にずれて、
前記枠体の内部に設けた係合部の室内側の部位に係合し、
前記障子が閉じている際に、前記操作部の操作がされないかぎり、前記障子が開くことが規制されるロック機構を構成する、開口部装置の開閉機構とする。
【００１５】
また、請求項２に記載のごとく、
前記操作部は、前記枠体の見込面を構成する外表面に設けられ、
前記連動部材は、前記枠体の内表面にて囲まれる収容空間に設けられる、こととする。
【００１６】
また、請求項３に記載のごとく、
前記連動部材には、
前記操作部の操作と連動するロック部材が設けられ、
前記ロック部材を前記障子の被係合部に係合させることで、
前記障子が閉じている際に、前記操作部の操作がされないかぎり、前記障子が開くことが規制されるロック機構を、さらに構成する、こととする。
【００１７】
また、請求項４に記載のごとく、
前記連動部材には、
前記障子が完全に閉じた状態において、
前記ロック部材を前記障子の被係合部に対して係合させるための遅延機構が設けられる、こととする。
【００１８】
また、請求項５に記載のごとく、
前記操作部は、
前記操作部の操作時において、前記枠体からの突出量が大きくなり、
前記操作部の非操作時において、前記枠体からの突出量が小さくなるように、
前記操作部の前記枠体に対する突出量が変更可能に構成されることとする。
【００１９】
また、請求項６に記載のごとく、
前記操作部は、少なくとも二本の指で摘むとともに、摘んだ状態で各指先の位置を相対的にずらすことで、回転操作されるように構成されることとする。
【００２０】
また、請求項７に記載のごとく、
請求項１乃至請求項６のいずれか１項に記載の開口部装置の開閉機構を備える、開口部装置とする。
【発明の効果】
【００２２】
本発明の効果として、以下に示すような効果を奏する。
【００２３】
即ち、請求項１に記載の発明においては、開閉機構の連動部材が枠体の内部に隠され、枠開口部の開放感、及び、意匠性を良好なものとすることが可能となる。また、障子の室内側に網戸を設ける場合であっても、この網戸と重ならない位置に連結部材を配置することができるため、網戸について、特別な施工や加工が必要とされることがなく、ひいては、コスト削減を実現できる。また、障子を閉じた際に障子のロックを実現することができ、しかも、そのロック機構は枠体の内部に隠されるので、枠開口部の良好な開放感、意匠性を確保できることになる。さらに、障子の開閉方向と直交する方向に長孔が形成され、連結ピンが長孔の長手方向にずらして係合部の室内側の部位に係合させることにより、障子を室外側から無理やり開こうとする力が加わった場合でも、このロック機構によって、障子を閉じた状態に維持することができる。
【００２４】
また、請求項２に記載の発明においては、
開閉機構の連動部材が枠体の内部に隠され、枠開口部の開放感、及び、意匠性を良好なものとすることが可能となる。また、障子の室内側に網戸を設ける場合であっても、この網戸と重ならない位置に連結部材を配置することができるため、網戸について、特別な施工や加工が必要とされることがなく、ひいては、コスト削減を実現できる。また、障子を閉じた際に障子のロックを実現することができ、しかも、そのロック機構は枠体の内部に隠されるので、枠開口部の良好な開放感、意匠性を確保できることになる。
【００２６】
また、請求項３に記載の発明においては、障子を閉じた際に障子のロックを実現することができ、しかも、そのロック機構は枠体の内部に隠されるので、枠開口部の良好な開放感、意匠性を確保できることになる。
【００２７】
また、請求項４に記載の発明においては、障子が完全に閉じた状態において、ロック部材を被連結部材に対して係合させることができる。また、これにより、被連結部材にロック部材が突き当たるなどして係合が実現されないといった不具合を確実に防止することが可能となる。
【００２８】
また、請求項５に記載の発明においては、障子のロックを一つの操作部の操作によって確実に実施可能となる。
【００２９】
また、請求項６に記載の発明においては、指先を動かすだけで障子の開閉動作を行うことができ、優れた操作性を実現することができる。
【００３０】
また、請求項７に記載の発明においては、開放感、意匠性、操作性に優れた開口部装置を実現することが可能となる。
【発明を実施するための最良の形態】
【００３１】
以下、発明の実施の形態について、実施例を用いて説明する。
【実施例１】
【００３２】
図１は、本実施例にかかる開口部装置１を備える建物１００の外観を示す正面図である。建物１００は、１階部分及び２階部分からなり、各階に開口部を有している。開口部には、１階部分においては玄関２や窓３が備えられ、２階部分にも窓４が備えられる。２階部分には、開口部装置１が取り付けられ、小さめのサークル窓（円形窓）が構成される。この開口部装置１の開閉方式は、換気を主目的としたいわゆる突き出し窓又は片開き窓である。
【００３３】
また、図１に示すごとく、開口部装置１は比較的小さなサークル窓に好適に使用されるが、この他、長方形のスリット窓、正方形のスクエア窓、ひし形の菱形窓、ガラスブロック窓、台形窓、アーチ窓など、あらゆる種類の窓にも適用が可能である。また、建物の種類も住宅に限定されず、公共施設やオフィスビルなどの大型建物にも適用できる。
【００３４】
図２は、開口部装置１を室内側から見た正面斜視図である。図２（ａ）は障子２０が閉鎖されている場合、図２（ｂ）は障子２０が開放されている場合を示している。図２及び図３に示すごとく、開口部装置１は、壁５の開口部６に取り付けられる枠体１０と、該枠体１０に対して蝶番３０（図３）を介して回動自在に設けられる障子２０と、枠体１０の蝶番３０とは異なる位置に取り付けられた開閉機構４０とを備えている。そして、開閉機構４０の操作つまみ４１を回動操作すると、連動して障子２０が回動し、開口部装置１が開閉される。
【００３５】
このように、本実施形態の開口部装置１によれば、手元の操作のみで障子の開閉が可能となり、操作性が良好な構成が実現される。従来の一般的な突き出し窓などは、開放するときには、障子の框に取り付けられた把手を掴みつつ、力を入れながら室外へ押し出さなければならず、閉鎖するときには、室外に移動した把手を力を入れて引き寄せなければならなかったが、このような構成と比較すると、操作性が極めて向上することになる。
【００３６】
また、図２及び図３に示す構成では、枠体１０の下部に開閉機構４０が配置され、枠体１０の上部に蝶番３０が配置され、障子２０の下側が開くタイプの突き出し窓であるが、開閉機構及び蝶番の位置は変えることが可能であり、障子２０の上側が開くタイプの突き出し窓にも構成することができる。また、左右いずれかの枠体に開閉機構及び蝶番を配置すれば片開き窓とすることができる。また、図２に示す構成では、円形の開口部に枠体１０を配置した開口部装置１とするため、円形（サークル窓）の開口部装置１となっているが、開口部が矩形である場合には、その縁に沿って配置された矩形の枠体に開閉機構及び蝶番を取り付けた矩形の開口部装置としてもよい。
【００３７】
図４は、図２（ａ）の状態における開閉機構４０の上面図である。図５は、図４のＡ−Ａで示した線の位置における断面を示した図である。図６は、図４の矢印Ｂから臨む正面図である。以下、これらの図を用いて開閉機構４０の構造を説明する。
【００３８】
まず、図４及び図５に示すごとく、開閉機構４０は、枠体１０に固定される基体４２と、障子２０の框２１に固定される被連結部材４４と、利用者が回動操作するための操作つまみ４１と、被連結部材４４と操作つまみ４１とを連結する連結部材４３を主要部材として備えている。
【００３９】
図４及び図５に示すごとく、基体４２は、障子２０の室内側において、枠体１０の内枠１１に対して固定される。また、図７（ａ）（ｂ）に示すごとく、基体４２は、平面視略方形のベース部４２ａと、該ベース部４２ａから下方に向けて突設される筒状の軸支持部４２ｂと、前記ベース部４２ａから下方に向けて突設され、前記軸支持部４２ｂよりも室内側に配置される筒状の固定筒部４２ｃ、とを具備している。
【００４０】
また、図５に示すごとく、基体４２において、前記軸支持部４２ｂには、上下方向の貫通穴４２ｄが設けられており、該貫通穴４２ｄには、回動軸４２ｅが回動自在に支持されている。また、前記回動軸４２ｅの上端部は、前記ベース部４２ａの上面４２ｆから上方に突出されている。また、この回動軸４２ｅの上端部には、回動軸４２ｅの軸方向と直交する回動ピン４２ｇが設けられており、この回動ピン４２ｇに対し、前記操作つまみ４１が回動自在に設けられている。
【００４１】
また、図７（ａ）（ｂ）に示すごとく、基体４２において、前記ベース部４２ａには、室外側（障子２０が配置される側）において、室内側を構成するベース部４２ａよりも厚みの大きい厚肉部４２ｊが構成され、前記ベース部４２ａと厚肉部４２ｊの境界に縦面部４２ｋが形成されるようになっている。そして、図７（ｄ）に示すごとく、前記ベース部４２ａに対して前記操作つまみ４１を重ねるようにたたんだ状態においては、前記縦面部４２ｋと前記操作つまみ４１の室外側側面４１ａが対向するようになっている。このように、縦面部４２ｋと前記操作つまみ４１の室外側側面４１ａが対向した状態では、仮に操作つまみ４１を回動させようとしても、室外側側面４１ａが縦面部４２ｋに突き当たるため、操作つまみ４１の回動が規制させることになる（ロックされることになる）。
【００４２】
また、図７（ａ）（ｄ）に示すごとく、前記操作つまみ４１をたたんだ状態では、上面視において、前記基体４２のベース部４２ａは、操作つまみ４１の上面部４１ｂによって覆い隠されるようになっている。
【００４３】
また、図７（ｄ）に示すごとく、上面視において、前記基体４２の厚肉部４２ｊには、その中央部において、室内側に開口が形成される略「Ｕ」字の開口部４２ｍが設けられており、該開口部４２ｍから前記回動軸４２ｅの上端部が突出されるようになっている。また、該開口部４２ｍに、操作つまみ４１に設けた回動軸４２ｅに対する連結部４１ｃが収容されるようになっている。
【００４４】
また、図７（ｃ）に示すごとく、基体４２において、前記ベース部４２ａの上面には、操作つまみ４１を操作して前記障子２０を開くための操作表示となる「開」の文字表示４２ｎと、操作つまみ４１を開く際の回動方向について操作表示となる矢印４２ｐが設けられている。この構成により、図７（ｄ）に示すごとく、前記操作つまみ４１をたたんだ状態から、図７（ｃ）に示すごとく、操作つまみ４１を開いた状態とすると、ベース部４２ａのベース部４２ａの操作表示（文字表示４２ｎ、及び、矢印４２ｐ）を表すことができ、利用者に対し、操作つまみ４１の操作方法を提供することができる。
【００４５】
また、図７（ａ）に示すごとく、操作つまみ４１において、たたんだ状態での室内側には、突出部４１ｑが設けられている。本実施例では、操作つまみ４１において、上面部４１ｂを室内側に延設するようにして、突出部４１ｑを構成することとしている。そして、この突出部４１ｑによって、図７（ａ）のように、操作つまみ４１がたたまれた状態から、図７（ｃ）のように、操作つまみ４１を開いた状態にする際に、利用者は、指を突出部４１ｑに引っ掛けるようにして操作つまみ４１を開くことができるようになる。このように、突出部４１ｑを設けることにより、操作つまみ４１を開く操作の操作性を良好なものとすることができる。
【００４６】
また、図５に示すごとく、開口部装置１の枠体１０は、枠開口部１０Ｍを取り囲む内周面を構成する内枠１１と、該内枠１１の外周を取り囲むべく構成される室外側外枠１２を具備している。また、図６に示すごとく、前記内枠１１の下部中央部には、前記開閉機構４０の基体４２の軸支持部４２ｂ及び固定筒部４２ｃを嵌入するための貫通穴１１ａが設けられており、該貫通穴１１ａに軸支持部４２ｂ及び固定筒部４２ｃを挿入することで、前記基体４２の下面４２ｓが、内枠１１の内側表面１１ｂに面して配置されるようになっている。
【００４７】
また、図５に示すごとく、基体４２において、固定筒部４２ｃには、前記上下方向に貫通する貫通穴４２ｒが設けられており、該貫通穴４２ｒを通して固定ビス４５が枠体１０の室外側外枠１２に対し螺挿されるようになっている。これにより、基体４２が枠体１０（室外側外枠１２）に対して固定される。
【００４８】
また、図５に示すごとく、枠体１０において、内枠１１と室外側外枠１２の間には、前記操作つまみ４１の操作と前記障子２０の開閉動作を連動させるための連動部材４１Ｌの構成部材である連結部材４３、連結ピン４６が収容される、収容空間１４が形成されることとしている。
【００４９】
また、図４乃至図６に示すごとく、前記収容空間１４内に、前記回動軸４２ｅの下端部が突出され、該下端部には、第一アーム４３ａの一端４３ｃが回動自在に連結される。また、該第一アーム４３ａの他端４３ｄ（図６参照）には、第二アーム４３ｂの一端４３ｅが回動部４３ｊを介して回動自在に連結される。そして、この第一アーム４３ａ、及び、第二アーム４３ｂにて、図４に示すごとく、上面視において略「く」字状の連結部材４３が構成されるようになっている。
【００５０】
また、図５及び図８（ｂ）に示すごとく、前記第二アーム４３ｂの他端４３ｆは、障子２０の框２１に固定される被連結部材４４に対し、連結ピン４６を介して連結される。該連結ピン４６は、前記第二アーム４３ｂの他端４３ｆに垂設されている。
【００５１】
また、図８（ｂ）に示すごとく、前記被連結部材４４には、上面視において左右方向に長い長穴４４ａが設けられている。前記連結ピン４６は、該長穴４４ａに対し貫装されるとともに、該長穴４４ａの長手方向を自由に移動できるように構成されている。また、図５に示すごとく、連結ピン４６は、内枠１１と室外側外枠１２の間の収容空間１４内に収容されるようになっている。
【００５２】
また、図８（ｂ）〜（ｆ）は、詳しくは後述するが、障子２０が閉じた状態から開かれる際に、（ｂ）から（ｆ）に向かう順番で連結部材４３が動作する状態を説明しており、障子２０を全開にした状態では、第一アーム４３ａと第二アーム４３ｂが、図８（ｆ）に示すごとくの状態となる。ここで、前記第二アーム４３ｂの一端４３ｅには、前記第一アーム４３ａの他端４３ｄの端面に当接するストッパー部４３ｈが設けられており、このストッパー部４３ｈによって、図８（ｆ）の状態で、障子が全開とされるようになっている。
【００５３】
また、図５及び図８（ｆ）に示すごとく、障子２０の框２１に固定される前記被連結部材４４は、前記框２１の下部に固定される固定面４４ｂと、前記連結ピン４６を貫装するための長穴４４ａが形成されるピン挿入部４４ｃと有する板金部材から構成されている。また、図５に示すごとく、障子２０を閉じた状態では、前記ピン挿入部４４ｃは、室外側から室内側に向かって高くなる傾斜面を構成している。
【００５４】
また、図８（ｂ）〜（ｆ）に示すごとく、障子が開かれる際には、連結部材４３等は（ｂ）から（ｆ）に向かう順に動作するようになっており、まず、前記連結ピン４６は、長穴４４ａの左端部から右側へ移動する（（ｂ）〜（ｃ））。そして、連結ピン４６が長穴４４ａの右端部まで移動すると、連結ピン４６が長穴４４ａの右端部に係合し、被連結部材４４を室外側へ押し出すようになっている（（ｄ）〜（ｆ））。
【００５５】
また、図８（ｂ）（ｃ）に示すごとく、前記長穴４４ａにおいては、その右端部において、室外側へ膨らむように開口される膨出部４４ｄが設けられている。この膨出部４４ｄにより、図８（ｄ）の状態から（ｆ）の状態へと変化する際に、連結ピン４６が膨出部４４ｄに収容され、これにより、連結ピン４６と被連結部材４４との間でぐらつきが生じないようになっている。
【００５６】
また、図８（ｂ）〜（ｆ）に示すごとく、障子が閉じられる際には、（ｆ）から（ｂ）に向かう順に動作するようになっており、まず、前記連結ピン４６は、長穴４４ａの右端部の室内側の端面と係合し、室内側へ移動する（（ｆ）〜（ｄ））。そして、図８（ｄ）に示すごとく、第一アーム４３ａと第二アーム４３ｂの開き角が次第に小さくなると、両アームの回動部４３ｊが図において左側へ移動し、これにより、長穴４４ａ内において、連結ピン４６が左側へと移動され、被連結部材４４は、障子が閉じられるまで室内側へと引き寄せられる（（ｄ）〜（ｂ））。
【００５７】
次に、ロック機構に関連する構成について説明する。
図５に示すごとく、前記枠体１０は、前記室外側外枠１２の室外側端部の周囲に固定され、前記障子２０の框２１を取り囲む室外側外枠１３を具備している。この室外側外枠１３の内周面は、前記室外側外枠１２の内周面と連続的な内周面を構成し、前記収容空間１４の壁面を構成する。
【００５８】
また、図４及び図５に示すごとく、前記室外側外枠１３の下部の内周面には、前記連結ピン４６の下部の被ガイド部４６ａをガイドするガイド部材４７が設けられている。このガイド部材４７は、固定ビス４７ａによって室外側外枠１３に固定される板状部材にて構成されている。
【００５９】
また、図８（ａ）に示すごとく、このガイド部材４７には、上面視において、室内側から室外側へ向かってその幅が広くなるガイド溝４７ｂが構成されている。また、このガイド溝４７ｂは、室内側から室外側へ向かって延びる縦溝構成部４７ｃと、該縦溝構成部４７ｃの室内側の端部の屈曲部４７ｄから左側へ延びる横溝構成部４７ｅとから構成されている。
【００６０】
また、図８（ａ）〜（ｅ）に示すごとく、ガイド部材４７を以上のように構成することで、連結ピン４６が前記ガイド溝４７ｂ内を通過するようにして移動するようになっている。また、図５に示すごとく、前記連結ピン４６の下部には、ローラー状に構成される被ガイド部４６ａが設けられ、この被ガイド部４６ａが前記ガイド溝４７ｂの端面に触れて回転しつつ、前記ガイド溝４７ｂに沿ってガイドされることになっている。
【００６１】
図８（ｂ）〜（ｅ）を参照して、まず、障子を開く際について説明すると、障子が閉じられた状態では、連結ピン４６（被ガイド部４６ａ）は、横溝構成部４７ｅ（図８（ｅ））の中に配置される。そして、第一アーム４３ａ及び第二アーム４３ｂが動作するに従って、連結ピン４６の被ガイド部４６ａは、横溝構成部４７ｅ（図８（ｅ））内を右方向へと進み、屈曲部４７ｄ（図８（ｅ））に突き当たり、そのまま縦溝構成部４７ｃへと進入して、室外側へ移動するように案内される（図８（ｃ）〜（ｅ））。
【００６２】
また、図８（ｂ）〜（ｅ）を参照して、障子を閉じる際について説明すると、まず、障子が開かれた状態（ｅ）では、連結ピン４６（被ガイド部４６ａ）は、縦溝構成部４７ｃ（図８（ｅ））の室外側の幅広い部位の中に配置される。そして、第一アーム４３ａ及び第二アーム４３ｂが動作するに従って、連結ピン４６の被ガイド部４６ａは、縦溝構成部４７ｃ（図８（ｅ））内を室内方向へと進み、屈曲部４７ｄ（図８（ｅ））に突き当たり、そのまま横溝構成部４７ｅ（図８（ｅ））へと進入して、横溝構成部４７ｅ内を左方向へと移動するように案内される（図８（ｄ）〜（ｂ））。
【００６３】
また、図８（ｅ）に示すごとく、ガイド部材４７の縦溝構成部４７ｃに関連し、この縦溝構成部４７ｃは、室外側においてその溝幅が広く構成されることにより、図８（ｆ）のように障子２０が全開の状態においてガイド部材４７から離れた位置にある連結ピン４６を、図８（ｅ）のように室内側に引き寄せた際には、連結ピン４６の被ガイド部４６ａを縦溝構成部４７ｃの中に確実に収容できることになる。
【００６４】
そして、図５及び図６に示すごとく、障子２０が閉じた状態において、連結ピン４６が横溝構成部４７ｅの中に配置されている状態では、連結ピン４６の被ガイド部４６ａが、横溝構成部４７ｅの壁面４７ｆに当接することになる。これにより、被連結部材４４が室外側へ引き寄せられる力が生じた際には、連結ピン４６の被ガイド部４６ａがガイド部材４７の壁面４７ｆに係合することにより、被連結部材４４の移動が規制されることになる。そして、この構成によって、ロック機構が実現されることになり、例えば、障子２０を室外側から無理やり開こうとする力が加わった場合でも、このロック機構によって、障子２０を閉じた状態に維持することができる。また、このロック機構は、障子２０を閉めることで自動的に実現されることから、ロックのかけ忘れといったこともなく、操作性、及び、防犯性に優れた構成となる。
【００６５】
次に、以上のように構成する開閉機構４０の操作つまみ４１による操作、および、連動する部材の動作について説明する。
まず、障子２０を開く際について説明すると、図４及び図７（ｄ）に示すごとく、操作つまみ４１がたたまれた状態では、障子２０が閉じられた状態となっており、連結部材４３は、図８（ｂ）の状態となっている。この状態では、図５及び図６に示すごとく、連結ピン４６とガイド部材４７によるロック機構が実現されることになっている。
【００６６】
次に、図７（ｃ）に示すごとく、操作つまみ４１を開き、該操作つまみ４１を上面視において時計回り方向に回動させていくと、図８（ｃ）（ｄ）（ｅ）（ｆ）の順に、連結部材４３が作動し、被連結部材４４が室外側へ押し出されて、障子２０が開かれる。ここで、図８（ｅ）の状態では、図９に示すごとく、障子２０がその自重によって略９°程開いた状態となる。また、図８（ｆ）の状態では、図１０に示すごとく、障子２０が全開となって、略１８．５°程開いた状態となる。また、図８（ｆ）に示すごとく、ストッパー部４３ｈによって、第一アーム４３ａと第二アーム４３ｂの回動が規制されると、操作つまみ４１の回動が規制され、この状態で、障子２０が全開とされるようになっている。尚、この障子２０が全開の状態では、操作つまみ４１が立ち上がった状態となっているため、室内側から障子２０が開かれていることが認識しやすいこととなっている。もちろん、障子２０が開かれている状態で、操作つまみ４１をたためる構成としてもよい。
【００６７】
一方、障子２０を閉じる際について説明すると、図７（ｂ）及び図１０の状態とされる操作つまみ４１を、上面視において、反時計周り方向に回動させていくと、図８（ｆ）（ｅ）（ｄ）（ｃ）（ｂ）の順に、連結部材４３が動作し、被連結部材４４が室内側へ引き戻されて、障子２０が閉じられる。そして、図８（ｂ）の状態となるまで操作つまみ４１を回動させた後、操作つまみ４１をたたむことによって、図７（ａ）の状態とすることができる。
【００６８】
以上のようにして、障子２０の開閉が行えるものであり、その開閉操作は、操作つまみ４１を摘んで回動させるといった、簡易かつ操作量の少ない操作にて行うことができるため、操作性の優れた開閉機構４０を実現することができる。
【００６９】
そして以上の構成において、図４に示すごとく、枠体１０（内枠１１）の外部（枠体１０の外表面）に、開閉機構４０の操作部となる操作つまみ４１が配置され、枠体１０（内枠１１）の内部（枠体１０の内表面にて囲まれる収容空間１４（図５）参照）に、前記操作つまみ４１の操作と前記障子２０の開閉動作とを連動させるための連動部材４１Ｌの構成部材である連結部材４３、連結ピン４６が配置される構成となっている。
【００７０】
これにより、図９及び図１０に示すごとく、開閉機構４０の連動部材４１Ｌが枠体１０（内枠１１）の内部に隠され、図２（ａ）に示すごとく、枠開口部１０Ｍの開放感、及び、意匠性を良好なものとすることが可能となる。尚、図５に示すごとく、内枠１１の内側表面１１Ｍは、枠開口部１０Ｍを形成する表面であり、この内側表面１１Ｍの延長線よりも外側（円形のサークル窓の場合は、半径方向外側）に、開閉機構４０に関連する部材を配置することで、良好な開放感、意匠性を確保できるものである。
【００７１】
また、図５、図９及び図１０に示すごとく、前記連動部材４１Ｌは、障子２０の框２１に設けられる被連結部材４４と、前記操作つまみ４１（回動軸４２ｅ）とを連結するための連結部材４３を含むこととしている。
【００７２】
これにより、図５に示すごとく、障子２０の室内側に網戸４９を設ける場合であっても、この網戸４９と重ならない位置に連結部材４３等を配置することができるため、網戸４９について、特別な施工や加工が必要とされることがなく、ひいては、コスト削減を実現できる。
【００７３】
また、図５及び図６に示すごとく、前記連動部材４１Ｌは、前記連結部材４３に設けられる連結ピン４６の被ガイド部４６ａ（被係合部）を、枠体（外枠１２）の内部に設けたガイド部材４７（係合部）に係合させることで、障子２０が閉じている際に、前記操作つまみ４１の操作がされないかぎり、障子２０が開くことが規制されるロック機構４１Ｒを構成することとしている。
【００７４】
これにより、図６に示すごとく、障子２０を閉じた際に障子２０のロックを実現することができ、しかも、そのロック機構４１Ｒは枠体１０の内部に隠されるので、枠開口部１０Ｍの良好な開放感、意匠性を確保できることになる。
【００７５】
また、図２（ａ）（ｂ）に示すごとく、前記操作部は、少なくとも二本の指で摘むとともに、摘んだ状態で各指先の位置を相対的にずらすことで、回転操作されるように構成されることとしている。
【００７６】
これにより、指先を動かすだけで障子２０の開閉動作を行うことができ、優れた操作性を実現することができる。
【００７７】
また、図２（ａ）（ｂ）、及び、図９に示すごとく、操作部となる操作つまみ４１は、操作つまみ４１の操作時において、前記枠体１０（内枠１１に設けた基体４２）からの突出量が大きくなり、操作つまみ４１の非操作時において、前記枠体１０からの突出量が小さくなるように、操作つまみ４１の枠体１０（基体４２）に対する突出量が変更可能に構成されることとしている。
【００７８】
本実施例では、操作つまみ４１をたたむ、又は、開くことによって、基体４２からの突出量を変更できるように構成されており、これにより、操作時には操作性が良好となって、また、障子を閉じて操作しないとき（非操作時）では、操作つまみ４１をコンパクトにたたむことができ、枠開口部１０Ｍの開放感が良好に維持され、同時に、円形の開口部装置１の特徴的な意匠性を良好に維持できる。なお、操作つまみ４１については、本実施例のように、いわゆる開閉式に構成することとする他、押し込む操作で操作部の立ち上げ／収容を行うプッシュ式のものや、前記突出量を可変とする屈設機構を有するレバー式のものであってもよい。
【実施例２】
【００７９】
本実施例２は、図１１〜図１５に示すごとく、開閉機構１４０の別の実施形態である。
本実施例２では、操作つまみ１４１の回動操作と連動するロック部材１４７を、障子１２０の框１２１に固定される被連結部材１４４（被係合部）と係合させることによって、障子１２０が閉じている際に、前記操作つまみ１４１の操作がされないかぎり、前記障子１２０が開くことが規制されるロック機構１４１Ｒを構成することとするものである。
【００８０】
図１１〜図１５に示すごとく、前記ロック部材１４７は、被連結部材１４４の室内側端部に垂設された被係合部１４４ａに対して係合すべく構成されるが、この係合が、障子１２０が完全に閉じた状態で実現される、即ち、被連結部材１４４が室内側に移動しきってから、ロック部材１４７が被係合部１４４ａに係合するために、ロック部材１４７の動作を連結部材１４３（第一アーム１４３ａ、第二アーム１４３ｂ）の動作に遅れさせるための、遅延機構１５０が構成されることしている。尚、このように遅延機構１５０を設けるのは、障子１２０を閉じる操作と、ロックの操作の両方を、一つの操作つまみ１４１の操作によって実現する構成では、障子１２０の閉じるタイミングと、ロック操作のタイミングの設定が重要となるためである。
【００８１】
図１５（ａ）に示すごとく、この遅延機構１５０は、第一アーム１４３ａ、ロック部材１４７、連動係合部材１４８、回動軸１４２ｅ、第三係合部材１４８ｆを含んで構成される。これらの構成を組み立てた状態が図１３に示されている。
【００８２】
このうち、第一アーム１４３ａは、図１２及び図１３に示すごとく、第二アーム１４３ｂと共に、連結部材１４３を構成し、前記回動軸１４２ｅの動作に応じて回動し、被連結部材１４４を移動させる。
【００８３】
また、ロック部材１４７は、図１３に示すごとく、前記第一アーム１４３ａと同じく、前記回動軸１４２ｅの動作に応じて回動するアーム状の部材であって、先端に設けた係合部１４７ａ（図１５（ａ）参照）を、被連結部材１４４に被係合部１４４ａに係合させるべく構成されている。また、図１５（ａ）に示すごとく、ロック部材１４７には、前記回動軸１４２ｅに連結されるための連結穴１４７ｂが設けられている。
【００８４】
また、図１１及び図１２に示すごとく、枠体１１０において、内枠１１１には、開閉機構１４０の基体１４２が付設されており、該基体１４２には、内枠１１１と外枠１１２との間に形成される収容空間１１４（図１１）内に向けて軸支部材１４２ａが突設されている。該軸支部材１４２ａには、上下方向の回動軸１４２ｅが回動自在に設けられている。また、基体１４２は、固定ビス１４５によって内枠１１１に対して固定されている。
【００８５】
また、図１１に示すごとく、前記回動軸１４２ｅの下端部には、上面視において略「Ｌ」字状のアームを有する前記ロック部材１４７が固定されている。これにより、ロック部材１４７が回動軸１４２ｅと直接的に結合され、回動軸１４２ｅと連動して回動されることになる。
【００８６】
また、図１１に示すごとく、前記回動軸１４２ｅにおいて、前記ロック部材１４７との固定部よりも上方には、該回動軸１４２ｅが貫装されるリング状（図１５（ａ）参照）の連動係合部材１４８が設けられている。そして、該連動係合部材１４８は、前記ロック部材１４７の上方に配置される第一アーム１４３ａの一端１４３ｃに設けられる被係合開口部１４３ｍ（図１５（ａ）参照）内に収容されている。
【００８７】
また、図１５（ｂ）は、前記連動係合部材１４８と第一アーム１４３ａの被係合開口部１４３ｍとの関係について示すものであり、まず、円盤状に構成される連動係合部材１４８は、その中央部に、前記回動軸１４２ｅを貫装するための方形の貫装穴１４８ａが設けられている。これにより、回動軸１４２ｅと連動係合部材１４８が一体的に回転するようになっている。また、連動係合部材１４８には、その外周部を上面視において凹状に切り欠くことで凹部１４８ｂが形成され、上面視において回動軸１４２ｅを中心として異なる角度箇所の端面に、それぞれ、第一係合部１４８ｃ、第二係合部１４８ｄが形成されることとしている。
【００８８】
また、図１５（ｂ）に示すごとく、前記第一アーム１４３ａの被係合開口部１４３ｍには、開口中心方向に突設される凸部１４３ｓが形成され、上面視において回動軸１４２ｅを中心として異なる角度箇所の端面に、それぞれ、第一被係合部１４３ｐ、第二被係合部１４３ｑが構成されることとしている。そして、前記凸部１４３ｓが前記連動係合部材１４８の凹部１４８ｂに対して収容される。
【００８９】
また、図１５（ｂ）に示すごとく、前記凸部１４３ｓが形成される角度範囲は、前記被係合開口部１４３ｍの凹部１４８ｂが形成される角度範囲よりも小さく構成され、これにより、前記凸部１４３ｓが前記凹部１４８ｂとの関係において隙間１４９が構成され、前記回動軸１４２ｅの角度位置によって、凸部１４３ｓの第一被係合部１４３ｐと凹部１４８ｂの第一係合部１４８ｃが係合し（図１４（ａ））、若しくは、凸部１４３ｓの第二被係合部１４３ｑと凹部１４８ｂの第二係合部１４８ｄが係合する（図１４（ｂ））こととなっている。
【００９０】
また、図１５（ａ）（ｂ）に示すごとく、回動軸１４２ｅ、及び、連動係合部材１４８には、半径方向外側に向けて開口される一連の横穴１４８ｅが形設されており、この横穴１４８ｅ内には、スプリング等の付勢部材１４８ｓによって、半径方向外側に押し出させるようにして付勢される球状の第三係合部材１４８ｆが設けられている。
【００９１】
また、図１５（ａ）（ｂ）に示すごとく、前記第一アーム１４３ａの被係合開口部１４３ｍには、前記第三係合部材１４８ｆの略半分の体積範囲（半球分）を収容するための窪みにて形成される第三被係合部１４３ｕが設けられる。そして、図１４（ｂ）に示すごとく、凸部１４３ｓの第二被係合部１４３ｑと凹部１４８ｂの第二係合部１４８ｄが係合する状態において、前記第三係合部材１４８ｆが第三被係合部１４３ｕに収容されて、第三係合部材１４８ｆが第三被係合部１４３ｕの係合状態が維持されることになる。
【００９２】
また、図１５（ｃ）（ｄ）に示すごとく、第一アーム１４３ａには、その外周部に設けた凸部１４３ｖが設けられ、該凸部１４３ｖが、前記基体１４２の軸支部材１１２ｂ（図１１参照）から下方に突設される凸部１１２ｄに係合されるようになっている。これにより、図１５（ｃ）から（ｄ）への状態の変化の際には、第一アーム１４３ａの反時計回り方向の回動が規制されるようになっている。
【００９３】
以上の構成において、図１４（ａ）の状態では、図示せぬ障子が閉じた際における連動係合部材１４８と被係合開口部１４３ｍの関係を示しており、この状態から、図示せぬ操作つまみの操作によって回動軸１４２ｅ及び連動係合部材１４８が時計周り方向に回動されていくと、図１４（ｂ）に示すごとく、凸部１４３ｓの第二被係合部１４３ｑと凹部１４８ｂの第二係合部１４８ｄが係合し、これにより、第一アーム１４３ａが、回動軸１４２ｅとともに時計周り方向に回動される。また、この状態では、前記第三係合部材１４８ｆが第三被係合部１４３ｕに収容された状態となる。
【００９４】
また、図１４（ｂ）の状態では、図示せぬ障子が全開の際における連動係合部材１４８と被係合開口部１４３ｍの関係を示しており、この状態から、図示せぬ操作つまみの操作によって回動軸１４２ｅ及び連動係合部材１４８が反時計周り方向に回動されると、前記第三係合部材１４８ｆが第三被係合部１４３ｕに係合していることによって、連動係合部材１４８と第一アーム１４３ａが一体となって反時計周り方向へ回動される。そして、図１４（ｃ）の回動位置まで回動されると、第一アーム１４３ａの凸部１４３ｖが凸部１１２ｄに係合し、第一アーム１４３ａの回動が規制される。更に、回動軸１４２ｅが反時計周り方向へ回動されると、図１４（ｄ）に示すごとく、前記第三係合部材１４８ｆが被係合開口部１４３ｍの内周面に押圧され、付勢部材１４８ｓの付勢力に抗して横穴１４８ｅ内に収容され、これにより、前記第三係合部材１４８ｆと第三被係合部１４３ｕの係合が解除される。
【００９５】
そして、図１４（ｄ）に示すごとく、この係合が解除した状態で、回動軸１４２ｅが回動されると、連動係合部材１４８のみ、即ち、ロック部材１４７のみが回動されて、図１４（ａ）の状態になる。尚、この際、第一アーム１４３ａの回動は、前記凸部１１２ｄによって規制されることになる。
【００９６】
以上のような遅延機構１５０とすることで、操作つまみの操作により障子が閉じられる際には、まず、図１３及び図１４（ｄ）の状態まで第一アーム１４３ａとロック部材１４７とが連動して回動され、被連結部材１４４の被係合部１４４ａが室内側へ最も移動させられた状態となる（図１３）。この状態では、障子は閉じられ、図１３に示すごとく、被係合部１４４ａが室内側へ移動しきった状態となるが、ロック部材１４７は、回動位置１４７Ａの状態にあり、いまだ被連結部材１４４に対して係合されていない。そして、この状態から、さらに図示せぬ操作つまみが回動されると、図１３に示すごとく、ロック部材１４７のみが回動されて、ロック部材１４７と被連結部材１４４の係合が実現される。
【００９７】
このように、本実施例の遅延機構１５０によれば、障子が閉じられる際において、ロック部材１４７の動作を、連結部材１４３（第一アーム１４３ａ、第二アーム１４３ｂ）の動作に対して遅れさせることが可能となる。そして、これにより、被連結部材１４４が規定の位置まで確実に移動され、障子２０が完全に閉じた状態において、ロック部材１４７を被連結部材１４４に対して係合させることができる。また、これにより、被連結部材１４４にロック部材１４７が突き当たるなどして係合が実現されないといった不具合を確実に防止できる。つまりは、障子２０のロックを確実に実施することが可能となる。
【００９８】
また、本実施例の開閉機構１４０は、上記のように遅延機構１５０を具備するものであるが、その他の構成については、実施例１と同様の形態で実現できる。尚、図１２に示すごとく、操作つまみ１４１については、障子が閉じた状態で、右側にたためることができるように、前記回動軸１４２ｅに対して回動自在に設けられる構成としているが、実施例１と同様の操作つまみの構成としてもよい。また、本実施例２のロック機構を、実施例１のロック機構に加えて設け、二重のロック機構を実現することとしてもよい。
【実施例３】
【００９９】
本実施例３は、図１６〜図１８に示すごとく、障子２２０の開閉方向と交わる方向に、操作つまみ２４１をスライドさせることにより、障子２２０の開閉を行う開閉機構２４０とするものである。
【０１００】
図１６〜図１８に示すごとく、内枠２１１の下部においては、下方向に窪ませることで操作つまみ２４１を収容し、その中において、操作つまみ２４１の左右方向の移動を許容するための、つまみ収容部２１１ａが構成されている。また、つまみ収容部２１１ａの下面には、上下方向に貫通する左右方向の長穴２１１ｂが設けられており、該長穴２１１ｂに対して上下方向に、連結ピン２４１ａが貫装されている。
【０１０１】
また、図１６〜図１８に示すごとく、連結ピン２４１ａは、その上部において、つまみ収容部２１１ａに収容される操作つまみ２４１に固定される一方、その下部において、連結部材２４３の第一アーム２４３ａの一端２４３ｂに連結される。また、第一アーム２４３ａの他端２４３ｃは、障子２２０の框２２１に固定される被連結部材２４４に対し、連結ピン２４５を介して連結されている。
【０１０２】
また、図１７に示すごとく、前記操作つまみ２４１は、その中央部が上方に突出されたつまみ部２４１ｂを有しており、このつまみ部２４１ｂを指で摘むことによって、操作つまみ２４１を左右方向へと移動させることができるようになっている。
【０１０３】
また、図１７及び図１８に示すごとく、前記連結ピン２４１には、前記框２２１に設けた係合ピン２２１ａに係合させるためのロック部材２４７が設けられている。このロック部材２４７は、操作つまみ２４１と一体となって左右方向に移動されるものであり、操作つまみ２４１がつまみ収容部２１１ａの左端まで移動して障子２２０が閉じた状態において、框２２１の係合ピン２２１ａと係合することによって、障子２２０の開閉をロックすることができる。
【０１０４】
また、図１８に示すごとく、連結部材２４３（前記第一アーム２４３ａ）、被連結部材２４４は、内枠２１１と外枠２１２の間に形成される収容空間２１４内に収容されている。これにより、開閉機構２４０の構成部材が、内枠２１１によって隠されることになり、意匠性を確保できることとなっている。
【０１０５】
以上のように構成し、図１９（ａ）に示すごとく、まず、操作つまみ２４１をつまみ収容部２１１ａの左端部に位置させることで、第一アーム２４３ａの他端２４３ｃが被連結部材２４４を室内側へと引き寄せるような状態となって、障子が閉じた状態となる。この状態から、操作つまみ２４１を右方向へスライドさせていくと、図１９（ｂ）に示すごとく、第一アーム２４３ａの他端２４３ｃが被連結部材２４４を室外側へと押し出すようにして、障子が開かれることになる。
【０１０６】
また、図１６及び図１９（ａ）に示すごとく、障子を閉じた状態においては、ロック部材２４７が框２２１の係合ピン２２１ａと係合することによって、障子２２０の開閉をロックすることができる。
【０１０７】
以上が、本発明の実施形態である。そして、上述した実施形態においては、下の枠体に開閉機構を取り付け、蝶番は上の枠体に取り付けたので、下側が開くタイプの突き出し窓となっているが、開閉機構及び蝶番の位置を変えることが可能なので、上側が開くタイプの突き出し窓にもすることができる。また、左右のいずれかの枠体に開閉機構及び蝶番を配置すれば片開き窓とすることができる。また、開口部装置の形は矩形の開口部の四辺に枠体を配置した開口部装置である必要はなく、開口部が円形である場合にはその縁に沿って配置された円形の枠体に開閉機構及び蝶番を取り付けた円形の開口部装置としてもよい。
【０１０８】
また、操作つまみの形態については、上記の実施形態の他、図２０（ａ）（ｂ）に示すごとく、一般的な回動レバー４１Ｆや、押し引きレバー４１Ｇの形態も可能であるが、内枠１１の内側表面１１Ｍに近づけるように折り曲げられる屈折部を設けるなどして、内枠１１からの突出量を少なく構成することが望ましい。この例においても、連結部材４３Ｆ・４３Ｇなどの開閉機構の他の構成部材については、枠体（内枠１１）の中に設けられることとする。
【０１０９】
また、上記の実施形態では、操作つまみを枠体（内枠）の内周面に設けることとしたが、枠体の中に適切なリンク機構を設けることによって、枠体（内枠）の室内側面に設けることも可能である。この場合でも、リンク機構が枠体の中に設けられるので、良好な開放感や意匠性を確保することができる。
【０１１０】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【産業上の利用可能性】
【０１１１】
本発明は、突き出し窓、片開き窓などの開閉機構について幅広く適用可能である。また、枠体の形状についても、スクエア、サークル、台形、アーチなど、各種の枠形状について、その内部に開閉機構の構成部材を収容するようにして、本発明を適用することが可能となる。
【図面の簡単な説明】
【０１１２】
【図１】実施例１の開口部装置を備えた建物の例について示す図。
【図２】（ａ）は、障子を閉じた状態における実施例１の開口部装置を室内側からみた斜視図。（ｂ）は、障子を開いた状態における実施例１の開口部装置を室内側からみた斜視図。
【図３】実施例１の開口部装置を室内側から見た正面図。
【図４】実施例１の開口部装置の水平断面図。
【図５】図４のＡ−Ａ線の一部拡大断面図。
【図６】図４の矢印Ｂの方向から臨む開閉機構の構成について示す図。
【図７】（ａ）は、操作つまみをたたんだ状態について示す斜視図。（ｂ）は、障子を開いた際における操作つまみの状態について示す斜視図。（ｃ）は、操作つまみ及び第一アームの動作について示す図。（ｄ）は、操作つまみをたたんだ状態について示す平面図。
【図８】（ａ）は、ガイド部材の構成について示す図。（ｂ）は、障子を閉じた状態における連結部材の状態について示す平面図。（ｃ）は、操作つまみが開の方向に操作し始めた際の連結部材の状態について示す平面図。（ｄ）は、（ｃ）の状態から更に操作つまみを開の方向に操作した際の連結部材の状態について示す平面図。（ｅ）は、（ｄ）の状態から更に操作つまみを開の方向に操作した際の連結部材の状態について示す平面図。（ｆ）は、障子を開ききった状態における連結部材の状態について示す平面図。
【図９】障子がその自重によって略９°程開いた状態について示す側面断面図。
【図１０】障子が全開となって、略１８．５°程開いた状態について示す側面断面図。
【図１１】実施例２の開閉機構の構成について示す側面断面図。
【図１２】実施例２の開閉機構の構成について示す平面図。
【図１３】実施例２の開閉機構のロック機構について示す平面図。
【図１４】（ａ）は、ロック部材によるロックがなされている状態について示す図。（ｂ）は、障子が開いている状態におけるロック機構の状態について示す図。（ｃ）は、障子が閉じられる際に、第一アームの外周部に設けた凸部の基体の凸部に対する係合が開始される状況について示す図。（ｄ）は、（ｃ）の状態から、ロック部材を単独で回動させる際の状態について示す図。
【図１５】（ａ）は、ロック機構を構成する部材について示す分解図。（ｂ）は、ロック機構の構成について示す図。
【図１６】実施例３の開閉機構の構成について示す平面図。
【図１７】実施例３の開閉機構の構成について示す正面図。
【図１８】実施例３の開閉機構の構成について示す側面図。
【図１９】（ａ）は、障子を閉じた状態における実施例３の開閉機構について示す平面図。（ｂ）は、障子を閉じた状態における実施例３の開閉機構について示す平面図。
【図２０】（ａ）は、一般的な回動レバーを設けた構成例について示す図。（ｂ）は、押し引きレバーを設けた構成例について示す図。
【図２１】従来の開口部装置の構成例について示す図。
【符号の説明】
【０１１３】
１      開口部装置
１０    枠体
１０Ｍ    枠開口部
１１    内枠
１２    室外側外枠
１４    収容空間
２０    障子
２１    框
４０    開閉機構
４１    操作つまみ
４２    基体
４３    連結部材
４３ａ    第一アーム
４３ｂ    第二アーム
４７    ガイド部材
【図１】
0005083962.tif 000002
【図２】
0005083962.tif 000003
【図３】
0005083962.tif 000004
【図４】
0005083962.tif 000005
【図５】
0005083962.tif 000006
【図６】
0005083962.tif 000007
【図７】
0005083962.tif 000008
【図８】
0005083962.tif 000009
【図９】
0005083962.tif 000010
【図１０】
0005083962.tif 000011
【図１１】
0005083962.tif 000012
【図１２】
0005083962.tif 000013
【図１３】
0005083962.tif 000014
【図１４】
0005083962.tif 000015
【図１５】
0005083962.tif 000016
【図１６】
0005083962.tif 000017
【図１７】
0005083962.tif 000018
【図１８】
0005083962.tif 000019
【図１９】
0005083962.tif 000020
【図２０】
0005083962.tif 000021
【図２１】
0005083962.tif 000022